(57)【特許請求の範囲】
【請求項１】
写真フイルムが予め装填されたユニット本体を有し、前記ユニット本体は、撮影レンズ、シャッタ機構、及び小径の絞り開口を形成した絞り板を含み、前記撮影レンズに近接し、かつ光軸と垂直な面内で前記絞り板を移動させ、前記絞り開口が撮影レンズの撮影光路上に位置する小絞り位置と、前記絞り開口が前記撮影光路上から退避する大絞り位置との間で絞りを切り替える露光装置が組み込まれるレンズ付きフイルムユニットにおいて、
絞り板に対面する前記レンズの一方の面に、絞り板に向かって一定高さで突出した突条を一体に形成し、この突条の先端に絞り板を摺接させて、絞り板の光軸方向での位置決めを行うことを特徴とするレンズ付きフイルムユニット。
【請求項２】
前記露光装置は、前記撮影レンズを保持するレンズホルダ内に、光路を制限してフレアの発生を抑えるフレアストッパーを、前記絞り板の他方の面に対面するように組み込み、前記突条の先端とフレアストッパーとの間で絞り板を移動させることを特徴とする請求項１記載のレンズ付きフイルムユニット。
【請求項３】
前記突条はフレアストッパーで制限された光路の外側に円環状に設けられ、前記撮影レンズとフレアストッパーとの間には前記突条の高さ以上の厚みを有する馬蹄形をしたスペーサが前記突条を取り囲むように組み込まれ、前記スペーサの両端間に形成される隙間を通過するように、前記絞り板を移動させることを特徴とする請求項２記載のレンズ付きフイルムユニット。
【請求項４】
前記撮影レンズ、スペーサ及びフレアストッパーが保持される略円筒形状のレンズホルダを一体に形成したレンズ鏡胴部と、前記レンズ鏡筒部の前面側を覆うように装着されるレンズ押さえプレートとが設けられ、前記撮影レンズには、その外周面から撮影光軸方向と直交する方向に突出する凸部を一体に形成しており、前記レンズホルダ又はレンズ押さえプレートに形成された凹部に前記凸部が嵌合して、撮影レンズが撮影光軸の回りを回転しないように位置決めすることを特徴とする請求項１ないし３いずれか１つ記載のレンズ付きフイルムユニット。
【請求項５】
前記撮影レンズ、スペーサ及びフレアストッパーが保持される略円筒形状のレンズホルダを一体に形成したレンズ鏡胴部と、前記レンズ鏡筒部の前面側を覆うように装着されるレンズ押さえプレートとが設けられ、そのレンズ押さえプレートには、その内面側から撮影光軸方向に沿って突出する略円筒形状の押圧用突条が一体に形成されており、前記押圧用突条が前記撮影レンズの撮影光路の外側に当接して、撮影レンズを前記レンズホルダに保持させることを特徴とする請求項１ないし４いずれか１つ記載のレンズ付きフイルムユニット。
【発明の詳細な説明】
【０００１】
【発明の属する技術分野】
本発明は、レンズ付きフイルムユニットに関するものである。
【０００２】
【従来の技術】
予め写真フイルムが装填された１回使用型の簡易型カメラとして、レンズ付きフイルムユニットが知られている。このレンズ付きフイルムユニットでは、徹底した低コスト化が図られ、装置自体の構造が簡単化されている。このため、レンズ付きフイルムユニットでは、閉じ位置にバネ付勢された１枚構成のシャッタ羽根を開き方向に蹴飛ばしてシャッタ開閉を行う、いわゆる蹴飛ばし式のシャッタ装置が使用されている。このようなシャッタ装置を備えたレンズ付きフイルムユニットに付加する露出調節機構として、シャッタ羽根とは別に、小絞り開口が形成された絞り板を設け、この絞り板を測光値に応じて移動させて絞り切り替えを行う絞り切替機構を組み込むことが検討されている。
【０００３】
この絞り板は、小絞り開口が光路上に挿入される位置と、光路外に退避される位置との間で移動自在に取り付けられ、ソレノイドの駆動を制御することによって絞り板を移動させ、絞りの切り替えが行われる。このソレノイドは、シャッタボタン操作で開始される被写体光量の検出値に応じて作動するように組み込まれている。これにより、簡単な構造で露出調節が可能になる。
【０００４】
一方、レンズ付きフイルムユニットでは、上述した低コスト化の必要性から、撮影レンズの構成においても、非常に簡単な構成になっており、一般に１〜２枚のレンズから構成され、最近では収差補正に有利である点から、２群２枚構成のものが主に用いられる。このような２群２枚構成の撮影レンズは、一定径の開放絞りの前方に形成された略円筒形のレンズホルダに、大口径の第１レンズが物体側、小口径の第２レンズが像面側という配置で保持されている。
【０００５】
【発明が解決しようとする課題】
ところで、２群２枚構成の撮影レンズが組み込まれたレンズ付きフイルムユニットに、上述の絞り切替機構を組み合わせる場合、レンズホルダ周辺の構造上から、小絞り開口が形成された絞り板を２枚のレンズ同士の間に挿入して、小絞り開口を開放絞りの前面側に配置することが、高画質を実現するととともに、コンパクト化を図る点からも望ましい。ところが、レンズ同士の間に絞り板を挿入する構造とした場合、絞り板の先端部がレンズ面と干渉して、傷を付けてしまうことが懸念されている。また、レンズ面と干渉しないように、絞り板の光軸方向に対する位置決めを行う部材を配置することが考えられるが、部品点数増加、及びコンパクト化に不利となるため好ましくない。
【０００６】
上記課題を解決するために、レンズ面と干渉せずに、レンズ同士の間に絞り板を挿入できる構造を持つとともに、絞り板の光軸方向に対する位置決めを行うことができ、確実に絞りを切り替えることができるレンズ付きフイルムユニットを提供することを目的とするものである。
【０００７】
【課題を解決するための手段】
前記目的を達成するために、本発明のレンズ付きフイルムユニットでは、写真フイルムが予め装填されたユニット本体を有し、前記ユニット本体は、撮影レンズ、シャッタ機構、及び小径の絞り開口を形成した絞り板を含み、前記撮影レンズに近接し、かつ光軸と垂直な面内で前記絞り板を移動させ、前記絞り開口が撮影レンズの撮影光路上に位置する小絞り位置と、前記絞り開口が前記撮影光路上から退避する大絞り位置との間で絞りを切り替える露光装置が組み込まれるレンズ付きフイルムユニットにおいて、絞り板に対面する前記レンズの一方の面に、絞り板に向かって一定高さで突出した突条を一体に形成し、この突条の先端に絞り板を摺接させて、絞り板の光軸方向での位置決めを行っている。
【０００８】
請求項２記載のレンズ付きフイルムユニットでは、前記撮影レンズを保持するレンズホルダ内に、光路を制限してフレアの発生を抑えるフレアストッパーを、前記絞り板の他方の面に対面するように組み込み、前記突条の先端とフレアストッパーとの間で絞り板を移動させている。
【０００９】
請求項３記載のレンズ付きフイルムユニットでは、前記突条はフレアストッパーで制限された光路の外側に円環状に設けられ、前記撮影レンズとフレアストッパーとの間には前記突条の高さ以上の厚みを有する馬蹄形をしたスペーサが前記突条を取り囲むように組み込まれ、前記スペーサの両端間に形成される隙間を通過するように、前記絞り板を移動させている。
【００１０】
請求項４記載のレンズ付きフイルムユニットでは、撮影レンズ、スペーサ及びフレアストッパーが保持される略円筒形状のレンズホルダを一体に形成したレンズ鏡胴部と、前記レンズ鏡筒部の前面側を覆うように装着されるレンズ押さえプレートとが設けられ、前記撮影レンズには、その外周面から撮影光軸方向と直交する方向に突出する凸部を一体に形成しており、前記レンズホルダ又はレンズ押さえプレートに形成された凹部に前記凸部が嵌合して、撮影レンズが撮影光軸の回りを回転しないように位置決めしている。
【００１１】
請求項５記載のレンズ付きフイルムユニットでは、前記撮影レンズ、スペーサ及びフレアストッパーが保持される略円筒形状のレンズホルダを一体に形成したレンズ鏡胴部と、前記レンズ鏡筒部の前面側を覆うように装着されるレンズ押さえプレートとが設けられ、そのレンズ押さえプレートには、その内面側から撮影光軸方向に沿って突出する略円筒形状の押圧用突条が一体に形成されており、前記押圧用突条が前記撮影レンズの平面部に当接して、撮影レンズを前記レンズホルダに保持させている。
【００１２】
【発明の実施の形態】
図１は、本発明を実施したレンズ付きフイルムユニット２の正面の外観を示す斜視図である。このレンズ付きフイルムユニット２は、各種撮影機構が組み込まれたユニット本体３と、このユニット本体３を部分的に覆う外装用のラベルシート４とから構成されている。ユニット本体３の前面には、撮影レンズ５、対物側ファインダ窓６、ストロボ発光部７、ストロボ充電切替スイッチ８、測光装置９等が設けられている。また、ユニット本体３の上面には、レリーズボタン１１、残り撮影可能コマ数を表示するカウンタ窓１２、ストロボ充電表示用のライトガイド１３が形成されている。さらに、ユニット本体３の背面側には、巻上げノブ１４、接眼側ファインダ窓などが露呈される。
【００１３】
図２に示すように、ユニット本体３は、露光装置１６、ストロボ装置１７等が組み込まれる本体基部１９と，その本体基部１９の前後を覆うように取り付けられる前カバー２０、及び後カバー２１とから構成されている。前カバー２０には、撮影レンズ５、対物側ファインダ窓６、ストロボ発光部７、ストロボ充電切替スイッチ８、測光装置９等を露呈するための開口が形成されている。
【００１４】
後カバー２１は、本体基部１９の背面を覆い、本体基部１９との間にフイルムロール室２３からアパーチャの背後を通ってカートリッジ収納室２２に至るまでのフイルム通路を形成する。このフイルム通路を通って写真フイルム２４がフイルムロール室２３からカートリッジ収納室２２の内部に装填されたフイルムカートリッジ２５に収納される。また、後カバー２１には、その底部に底蓋２１ａ，２１ｂが形成されており、これらの底蓋２１ａ，２１ｂによってカートリッジ収納室２２とフイルムロール室２３の底部が光密に閉じられる。カートリッジ収納室２２の底蓋２１ａは開閉自在にされており、撮影済の写真フイルム２４を全て収納したフイルムカートリッジ２５を取り出す際の取り出し蓋を兼ねている。
【００１５】
本体基部１９には、左右にカートリッジ室２２とフイルムロール室２３とが一体に形成されており、それらの間に露光装置１６が設けられている。また、露光装置１６とフイルムロール室２３との間には、ストロボ装置１７が爪結合により取り付けられる。また、カートリッジ室２２及びフイルムロール室２３には、フイルムカートリッジ２５と写真フイルム２４をロール状にしたフイルムロール２４ａとがそれぞれ装填される。このカートリッジ室２２の上部には巻上げノブ１４が回動自在に配置され、その下部に一体に設けられた軸部材がカートリッジ室２２に収納されたフイルムカートリッジ２５のスプールに係合される。この巻上げノブ１４を図中反時計方向に回動させることにより、撮影済の写真フイルム２４がフイルムカートリッジ２５内に巻き上げられる。
【００１６】
ストロボ装置１７は、回路基板３０にストロボ発光部７、メインコンデンサ３１、電池３２、シンクロスイッチ３３、絞り制御機構３４等を組み付けてユニット化したものである。ストロボ充電切替スイッチ８が上方に向けてスライドされると、回路基板３０上に設けられた金属接片３５がＯＮとなりメインコンデンサ３１への充電が開始される。このストロボ装置１７は、シャッタ機構を作動させたときに回動するシャッタ羽根３６の押圧片３６ｃ（図３参照）によりシンクロスイッチ３３が短絡し、ストロボ光を発光させるようになっている。また、ストロボ充電切替スイッチ８を上方にスライド操作すると、ライトガイド１３の一部がユニット本体３から突出するようになっている。
【００１７】
絞り制御機構３４は、測光スイッチ３８、絞り切替レバー３９、ソレノイド４０、ストッパー４１、及び測光装置９からなる。これらのうち、測光装置９を除く部品は、シンクロスイッチ３３とともに保持部材４２に組み付けられ、ユニットの状態で回路基板３０に取り付けられる。
【００１８】
絞り切替レバー３９は、詳しくは図３に示すように、長手方向が撮影光軸と直交するように配置されており、後述する絞りレバー４４に当接する突部３９ａと、後述するチャージレバー４５（図５参照）に係止される被係止突起３９ｂと、嵌合穴３９ｃとが形成されている。嵌合穴３９ｃは、シンクロスイッチ３３に一体に形成された回動軸３３ａに回動自在に嵌合する。絞り切替レバー３９は、嵌合穴３９ｃが回動軸３３ａに嵌合してシンクロスイッチ３３に取り付けられ、さらにそのシンクロスイッチ３３が保持部材４２に取り付けられる。また回動軸３３ａの先端部には抜け止め部材４７が取り付けられ、絞り切替レバー３９が回動軸３３ａから離脱することを防止する。さらに絞り切替レバー３９には、バネ４８が取り付けられ、このバネ４８により絞り切替レバー３９は図中時計方向に付勢され、バネ４８の付勢により突部３７ａが絞りレバー４４を押圧する。バネ４８は、絞りレバー４４を付勢する後述のバネ４９よりも大きい付勢力を持つように設定されており、絞りレバー４４をバネ４９による付勢力に抗して図中反時計方向に回動させる。
【００１９】
絞り切替レバー３９の先端部下方には、ストッパー４１が配置されている。ストッパー４１は嵌合穴４１ａと、嵌合穴４１ａから上方へ突出する突部４１ｂと、嵌合穴４１ａの中心方向と平行に配置される嵌合部４１ｃとからなる。嵌合部４１ｃは、ストッパー４１の背後に配置されるソレノイド４０の可動鉄心４０ａと回動自在に嵌合する。ストッパー４１は、嵌合穴４１ａが保持部材４２に形成された軸部（図示せず）と回動自在に嵌合し、嵌合部４１ｃが可動鉄心４０ａと嵌合することによって、絞り切替レバー３９が回動する軌道上に突部４１ｂの先端が突出する回動阻止位置と、軌道上から退避する阻止解除位置との間で回動自在に取りつけられる。
【００２０】
ソレノイド４０は、可動鉄心４０ａと、コイル４０ｂと、コイル４０ｂを保持する保持枠４０ｃと、バネ４０ｄとからなる。保持枠４０ｃは保持部材４２に形成された係止部（図示せず）に係止されることにより保持部材４２に保持される。可動鉄心４０ａは、コイル４０ｂ内をスライド自在に取りつけられ、バネ４０ｄによりコイル４０ｂの下方へ突出するように付勢されている。このソレノイド４０はコイル４０ｂに通電を行うことにより、可動鉄心４０ａを吸引する磁力を発生するタイプであり、このコイル４０ｂへの通電は、測光装置９による測光値により制御回路を介して行われる。測光装置９による被写体光量の測光値が設定値よりも小さい場合にのみ、コイル４０ｂへの通電が行われて可動鉄心４０ａがコイル４０ｂ内に引き込まれる。
【００２１】
測光装置９は、受光素子５０、受光素子ケース５１、及びプロテクタ５２から構成される。受光素子ケース５１は、受光素子５０を収納して回路基板３０に取り付けられ、前面に形成された導光開口５１ａから、受光素子５０の前面に形成される受光面の一部分のみを外部に露呈させる。受光素子５０は、回路基板３０に形成された回路パターンにハンダ付けにより接続され、測光スイッチ４０がオンとなったときには、被写体光量を測光する。透明な樹脂で成形されたプロテクタ５２は、導光開口５１ａの前面側に取り付けられ、受光素子５０、及び受光素子ケース５１を保護する。
【００２２】
露光装置１６は、本体基部１９のほぼ中央に設けられている。本発明の絞り切替装置は、この露光装置１６に組み込まれる撮影レンズ５、レンズ鏡胴部５３、絞り板５４、及びシャッタ機構５５などと、上述した絞り制御機構３４とからなる。また、露光装置１６には、フイルム巻き止め機構、残り撮影可能コマ数を表示するためのカウンタ機構、ファインダなどが組み込まれており、これらを暗箱５６に組み付けてユニット化されている。この暗箱５６の前面には、シャッタ羽根３６、レンズ鏡胴部５３の順で取り付けられる。
【００２３】
図３に示すように、シャッタ羽根３６は、１枚のセクタ羽根で構成されており、暗箱５６に設けられたピン５６ａに回動自在となるように取り付けられる。シャッタ羽根３６は、通常はバネ５７の付勢によって、羽根部３６ａがシャッタ開口５８を塞ぐ閉じ位置に保持され、撮影時にはレリーズボタン１１の押圧に連動して動作するシャッタレバー５９（後述）により取付部３６ｂの先端が蹴飛ばされ、シャッタ開口５８を開放する開き位置（図中時計方向）に回動する。その後、バネ５７の付勢によってシャッタ羽根３６は閉じ位置に戻るが、このシャッタ羽根３６の回動の間にシャッタ開口５７が開かれて露光が行われる。また、シャッタ羽根３６には、ストロボ装置１７に設けられたシンクロスイッチ３３を押圧する押圧片３６ｃが形成されている。シャッタ羽根３６がシャッタ開口５８を全開する全開位置に来たときに、押圧片３６ｃがシンクロスイッチ３３をオンする。
【００２４】
レンズ鏡胴部５３には、暗箱５６の前面側を覆う略板形状のベースプレート部６０と、そのベースプレート部６０のほぼ中心に配置され、開放絞りとなる開口６１と、その開口６１の前方に一体に形成された略円筒形状のレンズホルダ６２と、レンズホルダ６２の周りを囲むように形成された略矩形枠状の突出部６３と、ベースプレート部６０から前方に突出して設けられ、絞りレバー４４が回動自在に嵌合する回動軸６４とが形成されている。レンズホルダ６２に保持される撮影レンズ５は、第１レンズ６５、第２レンズ６６の２枚のレンズから構成される。第１レンズ６５には、物体側が凸面となる大口径のレンズが用いられ、第２レンズ６６には、像面側が凸面となる小口径のレンズが用いられている。
【００２５】
図４の要部断面図に示すように、レンズホルダ６２には、撮影レンズ５の光軸方向に沿って、物体側から像面側に向かって第１レンズ６５、フレアストッパー６７、スペーサ６８、第２レンズ６６の順番となるように保持されている。スペーサ６８は、馬蹄形をしており、フレアストッパー６７とともに、第１レンズ６５及び第２レンズ６６の間に挟まれて、光軸方向において２枚のレンズ間の距離を一定にするように位置決めを行う。そして、このスペーサ６８の前端から後端までの間隔で形成された隙間を通過するように絞り板５４が移動する。
【００２６】
レンズ鏡胴部５３の前面側には、レンズ押さえプレート６９が取り付けられる。レンズ押さえプレート６９は、撮影レンズ５の前面側を覆う前面壁７０と、前面壁７０に形成され、撮影レンズ５を露呈させるレンズ用開口７１と、前面壁７０から後方へ連続し、突出部６３の外側を覆うように一回り大きい略矩形枠状に形成された壁面部７２と、前面壁７０の内面側でレンズホルダ６２の外径に合わせた内径を持つ円筒部７３と、前面壁７０の内面側で円筒部７３の内側に形成された円環状のリブ７４と、ベースプレート部６０の上下端部に形成された係止爪６０ａに係止される係止穴７５と、ベースプレート部６０に形成されたピン６０ｂに係合する係合穴７６とからなる。
【００２７】
円筒部７３及びリブ７４は、詳しくは図５に示すように、撮影レンズ５に面する側でレンズホルダ６２に対応する位置に、光軸方向に沿って突出するように形成されており、リブ７４は、レンズ用開口７１よりも一回り大きく、第１レンズ６５の外周部６５ａに向かいあうように配置されている。図４に示すようにリブ７４が外周部６５ａを押さえ付けており、撮影レンズ５は、フレアストッパー６７及びスペーサ６８とともに、レンズ押さえプレート６９と、レンズ鏡胴部５３との間に挟み込まれて保持されている。従来のレンズ押さえプレートでは、レンズ用開口７１の周辺に複数の突起を設け、この突起により撮影レンズを押さえ付けていたが、このような構造のレンズ押さえプレートの場合、レンズ用開口７１から入り込んだ砂粒等の異物が突起間の隙間を通過して内部へ進入してしまうという問題があった。しかし、上述したように本発明ではレンズ押さえプレート６９に設けられた円環状のリブ７４で第１レンズ６５を押さえ付けており、第１レンズ６５とリブ７４との間には、ほとんど隙間がないので、異物が内部へ進入することがない。
【００２８】
レンズ押さえプレート６９は、係止穴７５が係止爪６０ａに係止され、係合穴７６がピン６０ｂと係合することにより、レンズ鏡胴部５３に取り付けられて、壁面部７２が突出部６３の外側に被せられる。これにより、レンズ鏡胴部５３の内部を密閉する。また、円筒部７３と、レンズホルダ６２の先端側が嵌合し、撮影レンズ５とレンズ用開口７１の中心が位置決めされる。
【００２９】
スペーサ６８には、後述する絞り板５４の先端部外周の形状に合わせた切り欠き部６８ａと，レンズホルダ６２の内周面に合わせた外径を持つ外周面６８ｂと、レンズホルダ６２のスリット６２ａに挿入される凸部６８ｃとが形成されている。凸部６８ｃは、外周面６８ｂから突出するように、２箇所に形成されている。この凸部６８ｃがレンズホルダ６２のスリット６２ａに挿入されることにより、スペーサ６８は、レンズホルダ６２の内部で撮影光軸の回りを回転することなく位置決めされる。また、レンズホルダ６２及び突出部６３の一部にも、切り欠き部６２ｂ及び６３ａが形成されている。突出部６３の切り欠き部６３ａから絞り板５４が入り込み、その大部分がレンズ鏡胴部５３の内部に配置される。さらに、レンズホルダ６２の切り欠き部６２ｂから絞り板５４の先端部がレンズホルダ６２内へ入り込み、絞りが切り替えられる。
【００３０】
フレアストッパー６７は、軸外光線の光路を制限して、フレアーの発生を抑えるとともに、切り欠き部６２ａからレンズホルダ６２内へ進入した絞り板５４の前面と摺接する。これにより、絞り板５４の光軸方向に対する位置決めが行われる。
【００３１】
第１レンズ６５には、略円板形状の外周面６５ｂから光軸方向と直交する方向に突出する凸部６５ｃが形成されている。この凸部６５ｃは、レンズホルダ６２の切り欠き部６２ｂに嵌め込まれるので、第１レンズ６５は光軸の回りを回転しないように位置決めされる。なお、凸部６５ｃが嵌め込まれて第１レンズ６５の位置決めをする箇所は、レンズホルダ６２の切り欠き部６２ｂに限るものではなく、例えば図５に示すようなレンズ押さえプレート６９の円筒部７３に形成されたスリット部７３ａでもよく、上述した凸部６５ｃに対応する位置で、凸部６５ｃに合わせた寸法の凹部に形成していればよい。
【００３２】
第２レンズ６６には、詳しくは図６に示すように、物体側のレンズ面６６ａの外周部から光軸方向に沿って一定高さで突出する円環状の突条６６ｂが一体に形成されている。突条６６ｂは、切り欠き部６２ｂからレンズホルダ６２内へ進入した絞り板５４の背面と摺接する。これにより、絞り板５４の光軸方向に対する位置決めが行われる。そして、上述したように絞り板５４の前面はフレアストッパー６７と摺接しており、絞り板５４は、突条６６ｂとフレアストッパー６７との間で移動する。また、突条６６ｂは、フレアストッパー６７により制限された光路の外側に配置されるように、その円環状の位置、直径が形成されており、さらにこの突条６６ｂは、スペーサ６８の切り欠き部６８ａ内に入り込み、突条６６ｂを取り囲むように、スペーサ６８が組み込まれている。スペーサ６８の厚みは突条６６ｂよりも高く、切り欠き部６８ａ内で突条６６ｂと絞り板５４とが摺接するのに十分なスペースを形成している。
【００３３】
絞り板５４は略Ｌ字状に形成されており、その先端部にはレンズ鏡胴部５３に形成された開口６１よりも径が小さい絞り開口７６が形成されている。この絞り板５４の先端部は、スペーサ６８によって第１レンズ６５と第２レンズ６６との間に形成された隙間に挿入される。
【００３４】
絞りレバー４４は、軸部材４４ａ、取付部４４ｂ、及び当接部４４ｃとからなる。この絞りレバー４４は、軸部材４４ａを貫通して形成された嵌合穴（図示せず）がレンズ鏡胴部５３に形成された回動軸６４に回動自在に嵌合する。取付部４４ｂには絞り板５４が固着される。当接部４４ｃは、軸部材４４ａの後端部から上方に向かって突出しており、上述した絞り切替レバー３９に当接する。絞りレバー４４にはバネ４９が取り付けられている。このバネ４９の付勢により、絞りレバー４４と一体に固着された絞り板５４が図中時計方向に回動し、その先端部がスペーサ６８によって形成された隙間に挿入される。バネ４９の付勢により回動した絞りレバー４４は、取り付け部４４ｂの上縁（図８参照）が、突出部６３と一体に設けられた凸部６３ｂに当接して受け止められる。これにより、絞り板５４は絞り開口７６が撮影光軸中心になるように位置決めされる。なお、バネ４９の付勢を受け止めて絞り板５４の位置決めを行う部材は、上述した突出部６３と一体に設けられた凸部６３ｂに限るものではなく、絞りレバー４４の回転軌道上に突出するように配置されていれば、絞りレバー４４周辺のどの部材に設けてもよい。また、絞り板５４と絞りレバー４４とを一体に形成し、絞り板５４自体が凸部６３ｂで受け止められるようにしてもよい。
【００３５】
絞り板５４は、以下に説明するように、ソレノイド４０のコイル４０ｂへの通電によって、その位置が移動される。コイル４０ｂへの通電が断たたれているときには、可動鉄心４０ａは、上述したようにバネ４０ｄの付勢によりコイル４０ｂの下方へ突出しており、このとき可動鉄心４０ａに取り付けられているストッパー４１は、絞り切替レバー３９の回動を阻止する回動阻止位置にある。ストッパー４１により回動が阻止された絞り切替レバー３９は、バネ４８による付勢が停止された状態となり、突部３９ａが絞りレバー４４を押圧しなくなる。絞り切替レバー３９による付勢が停止している絞り板５４はバネ４９の付勢により撮影光軸へ絞り開口７６が挿入される小絞り位置にある。
【００３６】
コイル４０ｂへの通電が行われているときには、可動鉄心４０ａはコイル４０ｂからの吸引力により上方へ移動する。このときストッパー４１は可動鉄心４０ａの移動に連動して回動阻止位置から阻止解除位置へと回動する。ストッパー４１による回動の阻止が解除された絞り切替レバー３９は、バネ４８による付勢で絞りレバー４４を押圧する。そして、絞り切替レバー３９による付勢を受けた絞り板５４は、上述した小絞り位置から、絞り開口７６が撮影光軸から退避する大絞り位置に回動する。このようにソレノイド４０は、ストッパー４１を回動させる駆動源として使用される。なお、絞り板５４は、上述したようにフレアストッパー６７と摺接しながら移動するが、絞り板５４が大絞り位置に回動したときでも、絞り板５４の先端部がフレアストッパーの外形の内側に留まっており、絞り板５４とフレアストッパー６７とが常に接して、光軸方向に対する位置決めを行うとともに、絞り板５４が光軸と垂直な面内で移動するように位置決めしている。これにより、レンズ鏡胴部５３や、レンズ押さえプレート６９等の周囲の部品と干渉することがなく、スムーズに移動することができる。
【００３７】
図７に示すように、シャッタ機構５５は暗箱５６の上方に組み込まれる。このシャッタ機構は、巻止めレバー８２、シャッタレバー５９、ディレイレバー８４、チャージレバー４５、カム８５、ガバナ機構８６から構成される。カム８５には、円板８７と、その下方に半円板状の第１カム８８、第２カム８９が設けられている。円板８７には、巻止めレバー８２の係止片８２ａをロックするための切欠き８７ａが形成されている。第１カム８８は、その外周にシャッタレバー５９のフック５９ｂが当接する。第２カム８９は第１カム８８から所定間隔を置いて形成されており、第２カム８９の外周にはディレイレバー８４の肩部８４ｄが当接する。このカム８５は暗箱５６に形成されたボス９０に挿通され、その軸部８５ａの最下端をスプロケット９２の係合穴９２ａに係合するように配置される。撮影済みの写真フイルム２４がカートリッジ２５へ収納される時には、スプロケット９２が写真フイルム２４に形成されたパーフォレーションに係合し、図中反時計方向に回転するとともに、カム８５も従動回転する。同時に、残り枚数を表示するカウンタ板が回転する。
【００３８】
シャッタレバー５９は、暗箱５６に設けられたピン９４に回動自在に取り付けられる。このシャッタレバー５８は、シャッタ羽根３６の先端を蹴飛ばすための蹴飛ばしアーム５９ａ，カム８５の第１カム８８と当接するフック５９ｂ、ディレイレバー８４に係止される突起５９ｃから構成されている。また、シャッタレバー５９の上部には、トーションバネ９５が設けられており、このトーションバネ９５により、シャッタレバー５９は図中反時計回りに付勢される。
【００３９】
巻止めレバー８２は、係止爪８２ａ，突起８２ｂ、レリーズ部８２ｃ，巻止め部８２ｄから構成され、暗箱５６に設けられた軸９７に回動自在に取り付けられる。この巻止めレバー８２にはトーションバネ９８が取り付けられ、図中時計回りに付勢される。巻止めレバー８２の突起８２ｂは、ディレイレバー８４の係止片８４ｃと当接するように配置されている。係止爪８２ａはカム８５の切欠き８７ａに入り込むために設けられている。巻き止め部８２ｄは巻止めレバー８２が図中時計回りに回転したときに巻上げノブ１４の外周部に形成された溝と係合して、巻上げノブ１４の回動をロックする。レリーズ部８２ｃはレリーズボタン１１が押圧されると、レリーズボタン１１の下部に形成された押圧片１１ａにより押圧され、図中反時計回りに回転する。
【００４０】
ディレイレバー８４は、回動自在となるように暗箱５６の上部に形成された軸９６に取り付けられ、ガバナ機構８６とともに遅延機構を構成する。このディレイレバー８４は、一端にギヤ８４ａが形成され、このギヤ８４ａはガバナ機構８６のスイッチギヤ１００と噛み合っている。このギヤ８４ａの近傍には、ピン８４ｂが形成されている。このピン８４ｂに取り付けられたトーションバネ９９により、ディレイレバー８４は図中反時計回りに付勢されている。また、ディレイレバー８４の上面には、係止片８４ｃが形成されている。係止片８４ｃは、巻き止めレバー８２の突起８２ｂと係止する。また、肩部８４ｄはカム８５の第２カム８９と当接する。
【００４１】
ガバナ機構８６は、スイッチギヤ１００とアンクル１０１から構成され、それぞれ暗箱５６の上部に配置される。スイッチギヤ１００の回転速度はアンクル１０１によって調節されている。前述したように、スイッチギヤ１００はディレイレバー８４のギヤ８４ａと噛み合っており、ディレイレバー８４の回転とともに従動する。従って、ガバナ機構８６はディレイレバー８４の回転速度を調節する調速機構として動作する。図６に示すように、スイッチギヤ１００の下部には、扇形状の押圧リブ１００ａが形成されており、この押圧リブ１００ａの回動により押圧されたチャージレバー４５が図中時計方向に回動する。また、スイッチギヤ１００の上部にはピン１００ｂが形成されており、このピン１００ｂの回動により測光スイッチ３８と当接し、測光スイッチ３８がＯＮとなる。このガバナ機構８６により、シャッタレバー５８によるシャッタ羽根３６の蹴飛ばしが遅延され、その間に測光装置９による測光が行われるとともに、絞り板５４の切り替えが確実に行われる。
【００４２】
チャージレバー４５は略Ｌ字状に形成され、その上面に腕部４５ａ及び係止突起４５ｂが形成されている。このチャージレバー４５にはトーションバネ１０３が取り付けられ、図中反時計回りに付勢される。腕部４５ａは、チャージレバー４５の上方に突出し、その先端部には当接面４５ｃが、下端部には被押圧部４５ｄが形成されている。当接面４５ｃは、スイッチギヤ１００の側面に当接するように配置されており、上述したようにトーションバネ１０３の付勢によりチャージレバー４５は図中反時計方向に付勢されるが、当接面４５ｃがスイッチギヤ１００に当接して回動が停止する。被押圧部４５ｄは、スイッチギヤ１００の押圧リブ１００ａに押圧されて、チャージレバー４５をトーションバネ１０３の付勢に抗して図中時計回りに回動させる。係止突起４５ｂは、絞り切替レバー３９の被係止突起３９ｂを係止して絞り切替レバー３９を保持する。
【００４３】
上述したようなディレイレバー、及びガバナ機構を用いたシャッタ機構については、特願平１１−３１１３５４号に記載されているものと同様であり、その機能も同様である。
【００４４】
次に本実施形態の作用の説明をする。図８はシャッタレリーズ後のシャッタ機構を示したものである。なお、図８、及び図９においては図面の煩雑化を防ぐため、ガバナ機構８６のアンクル１０１、及び各種バネなどを省略している。巻止めレバー８２はトーションバネ９８により、図中時計方向に付勢されているが、突起８２ｂとディレイレバー８４の係止片８４ｃとが当接されるため、巻止め部８２ｄが巻上げノブ１４の外周部に形成された溝１４ａから外れた初期位置に保持されている。一方、チャージレバー４５は、トーションバネ１０３により図中反時計方向に付勢されているが、当接面４５ｃがスイッチギヤ１００の側面と当接しており、その回動が停止されている。このとき、チャージレバー４５の係止突起４５ｂは、絞り切替レバー３９の被係止突起３９ｂから離れた位置にある。
【００４５】
写真フイルム２４の巻き上げとともにカム８５が回転すると、第２カム８９がディレイレバー８４の肩部８４ｄを押圧する。これにより、ディレイレバー８４は時計回りに回転し始める。そして、図９に示すように、ディレイレバー８４が所定量回転すると、ディレイレバー８４の係止片８４ｃと巻止めレバー８２の突起８２ｂとの係合が解除され、巻止めレバー８２は時計回りに所定量回転する。そして、写真フイルム２４の１コマ分の巻き上げが完了した時点で、係止爪８２ａがカム８５の円板８７に形成された切欠き８７ａに入り込む。このとき同時に、巻止め部８２ｄが巻上げノブ１４の外周部に形成された溝１４ａに入り込み、巻上げノブ１４の回動は阻止される。また、ディレイレバー８４はバネ９９の付勢により、反時計方向に回転しようとするが、巻止めレバー８２の突起８２ｂと係止片８４ｃとの係止により、その回転が阻止された状態となる。
【００４６】
一方、ディレイレバー８４が図中時計方向に回動すると、これに従動して、スイッチギヤ１００が図中反時計方向に回転し始める。スイッチギヤ１００が所定量回転すると、押圧リブ１００ａがチャージレバー４５の被押圧部４５ｄを押圧して、チャージレバー４５を図中時計方向に回動させる。そして、図７に示すように、シャッターチャージされた状態では、押圧リブ１００ａの外周面に被押圧部４５ｄが当接して、チャージレバー４５が保持される。このとき、チャージレバー４５の係止突起４５ｂは、絞り切替レバー３９の被係止突起３９ｂを係止して、絞り切替レバー３９の回動を停止させている。チャージレバー４５の係止突起４５ｂにより係止されている絞り切替レバー３９は、図１０に示すように、絞りレバー４４から離れた位置にある。これにより、絞り板５４は、絞り切替レバー３９からの付勢を受けず、バネ４９からの付勢のみを受けており、絞りレバー４４の取付部４４ｂが突出部６３の凸部６３ｂに当接し、絞り開口７６が撮影光軸に挿入される小絞り位置にある。
【００４７】
シャッタチャージされた状態でレリーズボタン１１が押圧されると、レリーズボタン１１の下部に形成された押圧片１１ａが、巻止めレバー８２のレリーズ部８２ｃを押圧する。これにより、巻止めレバー８２がバネ９８の付勢に抗して図中反時計回りに回転する。そして、ディレイレバー８４の係止片８４ｃと巻止めレバー８２の突起８２ｂとの係止が解放される。ディレイレバー８４はバネ９９の付勢により反時計回りに回転する。この回転により、ガバナ機構８６のスイッチギヤ１０１が回転し、ピン１００ｂと測光スイッチ３８とが当接して、測光装置９による被写体像の測光が行われる。測光装置９の測光値により、ソレノイド４０への通電の有無が決定される。
【００４８】
ディレイレバー８４が反時計回りに回転すると、押圧リブ１００ａがチャージレバー４５の被押圧部４５ｄの回転軌道から外れるため、バネ１０３の付勢によりチャージレバー４５が図中反時計方向に回転する。これにより、チャージレバー４５の係止突起４５ｂと絞り切替レバー３９の被係止突起３９ｂとの係止が解除されて、バネ４８の付勢により絞り切替レバー３９が図中時計方向に回転する。このとき、測光装置９による測光値が所定値よりも大きい場合はソレノイド４０への通電が断たれているので、ストッパー４１は回動阻止位置にある。係止突起４５ｂによる係止が解除された絞り切替レバー３９は、図中時計方向へわずかに回転した後、図１１に示すように、ストッパー４１により回動が阻止される。ストッパー４１により回動が阻止された絞り切替レバー３９は、絞りレバー４４を押圧しないので、絞り板５４は小絞り位置のままである。
【００４９】
また、測光値が所定値よりも小さい場合には、ソレノイド４０に通電が行われ、図１２に示すように、ストッパー４１が回動阻止位置から阻止解除位置へと回動する。ストッパー４１による回動の阻止が解除された絞り切替レバー３９は絞りレバー４４を押圧し、図１３に示すように、絞り板５４を小絞り位置から大絞り位置に回動させる。このとき、絞り板５４の背面は、第２レンズ６４の突条６４ｂに摺接し、また絞り板５４の前面と対面するようにフレアストッパー６７が配置され、絞り板５４の両面で光軸方向に対する位置決めが行われているので、その先端部がレンズ面６４ａを傷付けることなく、絞り位置を移動させることができる。
【００５０】
一方、絞り板５４の切り替えが行われた後、ガバナ機構８６により回転速度が調節されたディレイレバー８６の端部と、シャッタレバー５９の突起５９ｃとの係止が解除され、シャッタレバー５９が図中反時計方向に回転し、蹴飛ばしアーム５９ａによるシャッタ羽根３６の蹴飛ばしが行われる。これにより、大絞り位置又は小絞り位置に絞り板５４が保持された状態で、写真フイルム２４への露光が行われる。このとき、絞り板５４が小絞り位置にあるときには、絞り板５４と一体に固着された絞りレバー４４の取付部４４ｂが突出部６３の凸部６３ｂに当接して、絞り開口７６が撮影光軸中心になるように位置決めされている。また、第１レンズ６５が、レンズホルダ６２の切り欠き部６２ｂに嵌め込まれて位置決めされ、さらにレンズ押さえプレート６９の円筒部７３がレンズホルダ６２に嵌合して位置決めされているので、撮影レンズ５の撮影光軸と、絞り開口７６とが、確実に位置決めされ、適正な露光量で撮影することができる。
【００５１】
上記第１の実施形態では、撮影レンズとして２枚構成のものを使用しているが、本発明はこれに限らず、３枚以上の構成でもよく、１枚構成でもよい。撮影レンズを１枚構成とした本発明の第２の実施形態について、以下に説明する。上記第１の実施形態と同一の部品又は部材については、同一の符号を付してその説明を省略する。
【００５２】
図１４の分解斜視図、及び図１５の要部断面図に示すように、上記第１の実施形態で撮影レンズを構成していた２枚のレンズのうち、像面側に配置されていた第２レンズを省略し、物体側の第１レンズ１０５のみで撮影レンズを構成している。また、第１の実施形態では、第１レンズ及び第２レンズの間にスペーサが挟み込まれ、そのスペーサに形成された切り欠き部に絞り板５４の先端部が挿入される構成になっているが、本実施形態では、絞り板５４の先端部に合わせた切り欠き部１０６ａを持つスペーサ１０６を、レンズホルダ６２の底部に一体に形成し、このスペーサ１０６の切り欠き部１０６ａに絞り板５４の先端部が挿入され、絞りが切り替えられる。
【００５３】
第１レンズ１０５は、レンズ押さえ６９に形成されたリブ７４により外周部１０５が押しつけられて、レンズ押さえ６９とレンズ鏡胴部との間に挟み込まれる。第１レンズ１０５には、略円板形状の外周面１０５ｂから光軸方向と直交する方向に突出する凸部１０５ｃが形成されている。この凸部１０５ｃは、上記第１の実施形態と同様に、円筒部７３に形成されたスリット部７３ａに嵌め込まれて、第１レンズ１０５が光軸の回りを回転しないように位置決めされて保持される。
【００５４】
さらに、第１レンズ１０５には、詳しくは、図１６に示すように、像面側のレンズ面１０５ｄの外周部から光軸方向に沿って突出する円環形状の絞り板摺接用突条１０５ｅと、その絞り板摺接用突条１０５ｅの外側に形成され、光軸方向に沿って突出する円環状のレンズホルダ当接用突条１０５ｆとが一体に形成されている。レンズホルダ当接用突条１０５ｆは，レンズホルダ６２に一体に形成されたスペーサ１０６の前面側に当接することにより、第１レンズ１０５の光軸方向の位置決めを行う。絞り板摺接用突条１０５ｅは、切り欠き部６２ｂからレンズホルダ６２内へ進入した絞り板５４の前面と摺接する。これにより、絞り板５４の光軸方向に対する位置決めが行われる。
【００５５】
なお、上記第１、及び第２の実施形態では、撮影レンズと一体に形成され、絞り板と摺接する突条として、円環状のものを例に上げているが本発明は、これに限るものではなく、一定の高さで突出し、絞り板と摺接する突条であれば、どのような形状でもよい。
【００５６】
また、上記実施形態では被写体光量に応じてソレノイドを駆動させ、小絞り位置と、大絞り位置との間で絞り板を移動させる絞り切替機構が組み込まれているが、本発明はこれに限るものではなく例えば、特願２０００−２８０５３８号で提案されているような、ストロボ充電切替スイッチ８の手動操作に連動させて、絞り板の位置を移動させ、通常撮影時には、絞り板を少絞り位置に保持し、ストロボ撮影時には、大絞り位置に移動させる絞り切替機構を組み合わせるようにしてもよいし、少絞り位置と、大絞り位置とを選択して操作する絞り切替スイッチを独立して設け、このスイッチの手動操作に連動させるようにしてもよい。
【００５７】
さらに、上記例では、本発明をレンズ付きフイルムユニットに実施した例で説明したが、コンパクトカメラなどに使用してもよい。また、写真フイルムとして１３５型のカートリッジで説明したが、これ以外でもよく、例えばＩＸ２４０型のカートリッジを使用してもよい。
【００５８】
なお、上記第１、第２の実施形態では、レンズホルダに形成された絞り開口よりも径の小さい小絞り開口を絞り板に設け、撮影光路上に小絞り開口が挿入される第１の位置と、撮影光路状から小絞り開口が退避される第２の位置との間で切り替える方式としたが、絞り板に大小２つの絞り開口を設け、撮影光路上に小絞り開口が挿入される第１の位置と、撮影光路上に大絞り開口が挿入される第２の位置との間で切り替える方式にすることも可能である。
【００５９】
【発明の効果】
以上詳細に説明したように、本発明のレンズ付きフイルムユニットでは、絞り板に対面する撮影レンズの一方の面に、絞り板に向かって一定高さで突出した突条を一体に形成し、この突条の先端に絞り板を摺接させて、絞り板の光軸方向での位置決めを行っているので、絞り板がレンズ面を傷付けることがなく、確実に絞り板の位置を切り替えることができる。さらに、請求項２記載のレンズ付きフイルムユニットでは、撮影レンズを保持するレンズホルダ内に、光路を制限してフレアの発生を抑えるフレアストッパーを、絞り板の他方の面に対面するように露光装置に組み込み、前記突条の先端とフレアストッパーとの間で絞り板を移動させているので、光軸方向の位置決めがさらに正確になっている。
【００６０】
また、請求項３記載のレンズ付きフイルムユニットでは、前記突条はフレアストッパーで制限された光路の外側に円環状に設けられ、前記撮影レンズとフレアストッパーとの間には前記突条の高さ以上の厚みを有する馬蹄形をしたスペーサが前記突条を取り囲むように組み込まれ、前記スペーサの両端間に形成される隙間を通過するように、前記絞り板を移動させているので、スペーサ、フレアーストッパー、レンズの突条のそれぞれが干渉することがなく、絞りを切り替えることが可能であり、かつスペースを有効に利用している。
【００６１】
請求項４記載のレンズ付きフイルムユニットでは、前記撮影レンズ、スペーサ及びフレアストッパーが保持される略円筒形状のレンズホルダを一体に形成したレンズ鏡胴部と、前記レンズ鏡筒部の前面側を覆うように装着されるレンズ押さえプレートとが設けられ、前記撮影レンズには、その外周面から撮影光軸方向と直交する方向に突出する凸部を一体に形成しており、前記レンズホルダ又はレンズ押さえプレートに形成された凹部に前記凸部が嵌合して、撮影レンズが撮影光軸の回りを回転しないように位置決めしているので、撮影レンズの光軸と絞り開口との中心などがずれることなくより正確に位置決めされることになる。
【００６２】
請求項５記載のレンズ付きフイルムユニットでは、レンズ押さえプレートに、その内面側から撮影光軸方向に沿って突出する略円筒形状の押圧用突条を一体に形成し、前記押圧用突条が前記撮影レンズの平面部に当接して、撮影レンズを前記レンズホルダに保持させているので，撮影レンズとレンズ押さえプレートとの間にほとんど隙間がなくなり、異物の進入を防ぐことができる。
【図面の簡単な説明】
【図１】レンズ付きフイルムユニットの外観斜視図である。
【図２】レンズ付きフイルムユニットの分解斜視図である。
【図３】露光装置の分解斜視図である。
【図４】露光装置の要部断面図である。
【図５】レンズ押さえプレート、及び第１レンズを背面から見た斜視図である。
【図６】絞り板、及び第２レンズを示す外観斜視図である。
【図７】シャッタ機構の構成を示す分解斜視図である。
【図８】シャッタ機構の要部を示す概略図であり、シャッタレリーズ直後の状態を示すものである。
【図９】シャッタ機構の要部を示す概略図であり、ディレイレバー、及びチャージレバーがチャージされた状態を示すものである。
【図１０】絞り制御機構の要部を示す概略図であり、チャージレバーがチャージされた状態を示すものである。
【図１１】図１０の状態の後、被写体が明るかったときの状態を示すものである。
【図１２】図１０の状態の後、被写体が暗かったときの状態を示すものである。
【図１３】図１２の状態の後、写真フイルムに露光が行われるときの状態を示すものである。
【図１４】本発明の第２の実施形態における露光装置の分解斜視図である。
【図１５】図１４に示す露光装置の要部断面図である。
【図１６】図１４に示す露光装置に組み込まれる撮影レンズを背面側から見た斜視図である。
【符号の説明】
２  レンズ付きフイルムユニット
５  撮影レンズ
８  ストロボ
９  測光装置
１６  露光装置
３４  絞り制御機構
３６  シャッタ羽根
５３  レンズ鏡胴部
５４  絞り板
６２  レンズホルダ
６５、１０５  第１レンズ
６５ｂ、１０５ｂ  外周部
６５ｃ、１０５ｃ  凸部
６６  第２レンズ
６６ａ  レンズ面
６６ｂ  リブ
６９  レンズ押さえプレート
７３  円筒部
７３ａ  スリット部
７４  リブ
７６  絞り開口
【図１】
0003865298.tif 000002
【図２】
0003865298.tif 000003
【図３】
0003865298.tif 000004
【図４】
0003865298.tif 000005
【図５】
0003865298.tif 000006
【図６】
0003865298.tif 000007
【図７】
0003865298.tif 000008
【図８】
0003865298.tif 000009
【図９】
0003865298.tif 000010
【図１０】
0003865298.tif 000011
【図１１】
0003865298.tif 000012
【図１２】
0003865298.tif 000013
【図１３】
0003865298.tif 000014
【図１４】
0003865298.tif 000015
【図１５】
0003865298.tif 000016
【図１６】
0003865298.tif 000017